(57)【要約】【課題】全印刷装置の塗工機（ロールによる印刷機、インクジェット、スリットコートすべての印刷）に対して、環境を調整することができ、液状原料により形成される高機能な機能膜や電気光学部品に、雰囲気中の物質が不純物としての混入や、酸化等の機能劣化を防ぐことができる液状原料塗工装置、液状原料塗工方法、およびそれを用いた基体を提供する。【解決手段】基体上に液状原料を塗工して機能性膜もしくは電気光学機能を有する積層構造体を形成する液状原料塗工部と、前記基体を固定する台座と、前記液状原料塗工部と前記台座とを相対的に移動させる移動機構とを備えた液状原料塗工装置であって、前記液状原料塗工部と前記台座を覆う気密容器とにより塗工領域を形成し、該塗工領域内の雰囲気を調整する雰囲気調整機構を有し、前記気密容器が液状原料塗工部から隔離できることを特徴とする液状原料塗工装置、液状原料塗工方法、およびそれを用いた基体。【選択図】図１
2009112889.tif 000002
【特許請求の範囲】
【請求項１】
基体上に液状原料を塗工して機能性膜もしくは電気光学機能を有する積層構造体を形成する液状原料塗工部と、前記基体を固定する台座と、前記液状原料塗工部と前記台座とを相対的に移動させる移動機構とを備えた液状原料塗工装置であって、
前記液状原料塗工部と前記台座を覆う気密容器とにより塗工領域を形成し、該塗工領域内の雰囲気を調整する雰囲気調整機構を有し、前記気密容器が液状原料塗工部から隔離できることを特徴とする液状原料塗工装置。
【請求項２】
前記液状原料塗工部中の雰囲気を、前記機密容器とを隔離した上で前記塗工領域内の雰囲気と大気とに、任意に置換できることを特徴とする請求項１に記載の液状原料塗工装置。
【請求項３】
前記気密容器内の雰囲気が、雰囲気温度と雰囲気中の酸素含有物質とを調整された不活性気体であることを特徴とする請求項１または請求項２に記載の液状原料塗工装置。
【請求項４】
前記雰囲気中の酸素含有物質が300ppm以下であることを特徴とする請求項３に記載の液状原料塗工装置。
【請求項５】
前記気密容器内の雰囲気が、基体上の液体原料と活性である反応性ガスが含有されていることを特徴とする請求項１または請求項２に記載の液状原料塗工装置。
【請求項６】
前記気密容器内の雰囲気が、循環されて維持されていることを特徴とする請求項１乃至請求項５のいずれか一項に記載の液状原料塗工装置。
【請求項７】
前記雰囲気調整機構が、温度調整機構を有することを特徴とする請求項１乃至請求項６のいずれか一項に記載の液状原料塗工装置。
【請求項８】
前記気密容器内の雰囲気が、液状原料に含まれる溶剤もしくは、この分解等により発生する副生成物を吸着するトラップを通して、循環されていることを特徴とする請求項６に記載の液状原料塗工装置。
【請求項９】
前記気密容器が減圧維持可能であることを特徴とする請求項１乃至請求項８のいずれか一項に記載の液状原料塗工装置。
【請求項１０】
前記液状原料塗工部内の雰囲気が調整されていることを特徴とする請求項１乃至請求項９のいずれか一項に記載の液状原料塗工装置。
【請求項１１】
前記基体を乾燥させる乾燥機構を有することを特徴とする請求項１乃至請求項１０のいずれか一項に記載の液状原料塗工装置。
【請求項１２】
前記乾燥機構が、隔壁により塗工領域と分離できることを特徴とする請求項１１に記載の液状原料塗工装置。
【請求項１３】
前記乾燥機構に、基体上の液体原料もしくは乾燥後の部材と不活性である気体を導入することを特徴とする請求項１１または請求項１２に記載の液状原料塗工装置。
【請求項１４】
前記乾燥機構に、基体上の液体原料もしくは乾燥後の部材と活性である反応性ガスを導入することにより乾燥後の基体の機能を調整することを特徴とする請求項１１または請求項１２に記載の液状原料塗工装置。
【請求項１５】
前記乾燥機構が、真空乾燥機構であることを特徴とする請求項１１乃至請求項１４のいずれか一項に記載の液状原料塗工装置。
【請求項１６】
前記乾燥機構が、基体もしくは液体原料を加熱する乾燥機構であることを特徴とする請求項１１乃至請求項１５のいずれか一項に記載の液状原料塗工装置。
【請求項１７】
前記液体塗工部に、吐出機構を用いることを特徴とする請求項１乃至請求項１６のいずれか一項に記載の液状原料塗工装置。
【請求項１８】
前記液体塗工部に、ロール式印刷機構を用いることを特徴とする請求項１乃至請求項１７のいずれか一項に記載の液状原料塗工装置。
【請求項１９】
前記液体塗工部に、スリットコ−ト機構を用いることを特徴とする請求項１乃至請求項１７のいずれか一項に記載の液状原料塗工装置。
【請求項２０】
前記液体塗工部に、噴霧機構を用いることを特徴とする請求項１乃至請求項１７のいずれか一項に記載の液状原料塗工装置。
【請求項２１】
前記液体塗工部に、ブレードを用いることを特徴とする請求項１乃至請求項１７のいずれか一項に記載の液状原料塗工装置。
【請求項２２】
前記液体塗工部に、刷毛を用いることを特徴とする請求項１乃至請求項１７のいずれか一項に記載の液状原料塗工装置。
【請求項２３】
前記塗工領域および乾燥機構を複数連結することにより、多層膜を形成することを特徴とする請求項１０乃至請求項２２のいずれか一項に記載の液状原料塗工装置。
【請求項２４】
前記塗工領域および乾燥機構に焼成機構が連結されていることを特徴とする。請求項１０乃至請求項２３のいずれか一項に記載の液状原料塗工装置。
【請求項２５】
前記塗工領域および乾燥機構に、検査装置およびリペア装置が連結されていることを特徴とする請求項１０乃至請求項２４のいずれか一項に記載の液状原料塗工装置。
【請求項２６】
前記塗工領域および乾燥機構に連結されている、前記焼成機構および前記検査装置および前記リペア装置が、基体上の液体原料もしくは乾燥後の部材と不活性な雰囲気であることを特徴とする。請求項２４または請求項２５に記載の液状原料塗工装置。
【請求項２７】
請求項1乃至請求項２６のいずれか一項に記載の液状原料塗工装置を用いることを特徴とする液状原料塗工方法。
【請求項２８】
請求項1乃至請求項２７のいずれか一項に記載の液状原料塗工装置を用いて機能性膜もしくは電気光学機能を有する積層構造体を形成したことを特徴とする基体。
【発明の詳細な説明】
【技術分野】
【０００１】
本発明は、基体上に液状原料を塗工して機能性膜もしくは電気光学機能を有する積層構造体を形成する液状原料塗工装置、液状原料塗工方法、およびそれを用いた基体に関する。
【０００２】
具体的には、例えばインクジェットなどの種々の塗工装置であって、基体上に液状原料を塗工して、電気機能性膜（配線、デバイス機能層等）もしくは、光学機能性膜（カラーフィルタ、配向材、発光材等）もしくは、機械機能性膜（スペーサー、レジスト壁、シール材等）もしくは、該機能性膜を積層し、電気光学機能を形成した電気光学部品（配線、トランジスタ、画素、発光素子等）を製造する液状原料塗工装置、液状原料塗工方法、およびそれを用いた表示体、電子デバイスに関する。
【背景技術】
【０００３】
塗工により液状原料を用いて前記の機能性膜を形成する場合、ミクロンレベルのごみや温度を制御することは容易に可能である。しかしながら、液体原料もしくは、該液体原料から形成された機能性膜には、雰囲気に含まれる成分により機能劣化を生じる場合がある。例えば、基体の表面に塗工され発光部が有機材料からなる機能性膜（有機EL）は、水分や酸素を含む雰囲気中で基体上に液状原料を塗工すると、機能性膜の劣化によりダークスポットが発生したり、輝度が低下する。
【０００４】
このため、従来から吐出機構を収容したチャンバ内の環境条件を調整するため種々の提案がなされている。
【０００５】
例えば、特開2004-209429号公報（下記特許文献１）には、ワークとしての基板に対して液滴を吐出する複数の液滴吐出ヘッドを有するヘッドユニットと、液滴吐出ヘッドの液滴の吐出量を測定するために液滴吐出ヘッドが吐出した液滴を受ける吐出量測定用液受け部を有する吐出量測定用ユニットとを備え、液滴吐出装置を収容するチャンバの内部は、環境条件としての温度および湿度が調整される液滴吐出システムが記載されている。
【０００６】
しかし、特許文献１に記載された方法は、装置全体をカバーする構成であり、装置全体を覆う空間を雰囲気制御する必要があり、ガス置換もしくは循環による雰囲気制御維持には、装置コストおよび操業コストが高いという問題点があった。
【０００７】
また、特開2004-299236号公報（下記特許文献２）には、硬化性の成分を含む一種または複数のインクを記録媒体上に吐出させる記録ヘッドと、記録媒体上に着弾したインクに光を照射してインクを硬化させる紫外線照射装置とを備えてなる画像記録装置において、少なくとも記録ヘッドの移動範囲を覆うチャンバを設けるとともに、チャンバ内の温度または湿度のうち少なくとも一方を調整する空調機構を設け、空調機構を制御する制御部を備えることにより、光硬化型のインクを用いて画像記録を行う際に、記録媒体の種類やインク硬化の行われる環境条件に関わらず高画質の画像を得ることの画像記録装置が記載されている。
【０００８】
しかしながら、吐出させる記録ヘッドすなわちインクジェット方式では、吐出ヘッドの維持、保守が必要であるが、吐出ヘッドのこれに関する記述は無く、吐出ヘッドの保守のためにチャンバを開放、その後環境条件を整えるためには、操業コストが高いという問題点があった。
【０００９】
特開2005-218899号公報（下記特許文献３）には、不活性ガス雰囲気の処理用気密室と、不活性ガス雰囲気と空気雰囲気に置換可能な交換用気密室と、処理用気密室と交換用気密室の間に設けられ両気密室間を連絡する連絡路と、連絡路に設けられた第１の開閉扉と、処理用気密室内に設けられ封止ガラスにシール材を塗布するディスペンサ１９と、処理用気密室内に設けられディスペンサ１９を着脱可能に保持する固定式ディスペンサ保持部材と、処理用気密室に設けられたグローブポートと、交換用気密室に設けられ塗布装置外と連絡する開口部と、開口部に設けられた第２の開閉扉と、交換用気密室内に設けられディスペンサ１９を着脱可能に保持する移動式ディスペンサ保持部材とを具備することにより、有機ＥＬ素子を大気に曝すことなく、基板上にシール材を塗布することができ、有機ＥＬ表示装置の製造に要する時間を短縮できるシール材塗布装置が記載されている。
【００１０】
しかし、特許文献３の方法は、ディスペンサ１９では問題ないが、平行度等の調整が必要となるような塗工装置の場合には、グローブボックス中での調整は容易ではない。
【００１１】
また、特開2006-120382号公報（下記特許文献４）には、クリーンドライエア供給装置から基板処理装置、塗布装置、及び乾燥装置の夫々に延びる配管を介して各装置の処理室クリーンドライエアを供給し、クリーンドライエア雰囲気中で各種処理を行うことにより、有機層の特性劣化の原因の一つである水分及び有機溶媒のガスを排除することができる有機EL装置の製造装置が記載されている。
【００１２】
しかし、上記特許文献４では、乾燥空気を供給するため、高い気密性は要求されないが、安全上、乾燥空気以外の高純度ガスの使用は難しくなる。また、有機溶剤等の人体に有害なガスを排除する場合、安全上の問題から、処理室の気密性が要求されるため、本質的な構成に変化は無い。
【００１３】
上記特許文献は、いずれも気密容器中でガス置換もしくは循環による雰囲気制御維持もしくは、ガスの垂れ流しによる雰囲気制御である。このため、装置コストが高いものになる。また、上記特許文献ではインクジェットに関する記述を主としているが、液体原料の塗工装置は保守を要し、この際、気密容器を開放すると、制御された雰囲気を形成するには数時間を要し、この際に最もガスを大量に使用することになる。このため、操業コストが高い。また、所定空間の雰囲気を壊すことない、塗工装置の保守に関する記述はない。
【特許文献１】特開2004-209429号公報
【特許文献２】特開2004-299236号公報
【特許文献３】特開2005-218899号公報
【特許文献４】特開2006-120382号公報
【発明の開示】
【発明が解決しようとする課題】
【００１４】
本発明は、前述のような従来技術の問題点を解決し、全印刷装置の塗工機（ロールによる印刷機、インクジェット、スリットコートすべての印刷）に対して、環境を調整することができ、電気光学部品を構成する、液状原料により形成される機能膜に、雰囲気中の物質が不純物としての混入防止及び、酸化等の機能劣化防止ないしは、液状原料により形成される機能膜を雰囲気との化学反応を積極的に促進することにより高機能化することができる液状原料塗工装置および、液状原料塗工方法であり、調整された環境を壊すことなく、塗工部の保守を可能として、経済的に良好な操業コストを有した液状原料塗工装置および、液状原料塗工方法およびそれを用いた基体を提供することを課題とする。
【課題を解決するための手段】
【００１５】
本発明は、前述の課題を解決するために鋭意検討の結果、液状原料塗工部の一部が前記台座を覆う気密容器を形成し、該気密容器内の雰囲気を調整する雰囲気調整機構を有することにより、全印刷装置の塗工機（ロールによる印刷機、インクジェット、スリットコートすべての印刷）に対して、環境を調整することができ、電気光学部品を構成する、液状原料により形成される機能膜に、雰囲気中の物質が不純物としての混入防止及び、酸化等の機能劣化防止ないしは、液状原料により形成される機能膜を雰囲気との化学反応を積極的に促進することにより高機能化することができ、調整された環境を壊すことなく、塗工部の保守を可能として、経済的に良好な操業コストを有した液状原料塗工装置、液状原料塗工方法およびそれを用いた基体を提供するものであり、その要旨とするところは特許請求の範囲に記載したとおりの下記内容である。
（１）基体上に液状原料を塗工して機能性膜もしくは電気光学機能を有する積層構造体を形成する液状原料塗工部と、前記基体を固定する台座と、前記液状原料塗工部と前記台座とを相対的に移動させる移動機構とを備えた液状原料塗工装置であって、
前記液状原料塗工部と前記台座を覆う気密容器とにより塗工領域を形成し、該塗工領域内の雰囲気を調整する雰囲気調整機構を有し、前記気密容器が液状原料塗工部から隔離できることを特徴とする液状原料塗工装置。
（２）前記液状原料塗工部中の雰囲気を、前記機密容器とを隔離した上で前記塗工領域内の雰囲気と大気とに、任意に置換できることを特徴とする（１）に記載の液状原料塗工装置。
（３）前記気密容器内の雰囲気が、雰囲気温度と雰囲気中の酸素含有物質とを調整された不活性気体であることを特徴とする（１）または（２）に記載の液状原料塗工装置。
（４）前記雰囲気中の酸素含有物質が300ppm以下であることを特徴とする（３）に記載の液状原料塗工装置。
（５）前記気密容器内の雰囲気が、基体上の液体原料と活性である反応性ガスを含有することを特徴とする（１）または（２）に記載の液状原料塗工装置。
（６）前記気密容器内の雰囲気が、循環されて維持されていることを特徴とする（１）乃至（５）のいずれか一項に記載の液状原料塗工装置。
（７）前記雰囲気調整機構が、温度調整機構を有することを特徴とする（１）乃至（６）のいずれか一項に記載の液状原料塗工装置。
（８）前記気密容器内の雰囲気が、液状原料に含まれる溶剤もしくは、この分解等により発生する副生成物を吸着するトラップを通して、循環されていることを特徴とする（６）に記載の液状原料塗工装置。
（９）前記気密容器が減圧維持可能であることを特徴とする（１）乃至（８）のいずれか一項に記載の液状原料塗工装置。
（１０）前記液状原料塗工部内の雰囲気が調整されていることを特徴とする（１）乃至（９）のいずれか一項に記載の液状原料塗工装置。
（１１）前記基体を乾燥させる乾燥機構を有することを特徴とする（１）乃至（１０）のいずれか一項に記載の液状原料塗工装置。
（１２）前記乾燥機構が、隔壁により塗工領域と分離できることを特徴とする（１１）に記載の液状原料塗工装置。
（１３）前記乾燥機構に、基体上の液体原料もしくは乾燥後の部材と不活性である気体を導入することを特徴とする（１１）または（１２）に記載の液状原料塗工装置。
（１４）前記乾燥機構に、基体上の液体原料もしくは乾燥後の部材と活性である反応性ガスを導入することにより乾燥後の基体の機能を調整することを特徴とする（１１）または（１２）に記載の液状原料塗工装置。
（１５）前記乾燥機構が、真空乾燥機構であることを特徴とする（１１）乃至（１４）のいずれか一項に記載の液状原料塗工装置。
（１６）前記乾燥機構が、基体もしくは液体原料を加熱する乾燥機構であることを特徴とする（１１）乃至（１５）のいずれか一項に記載の液状原料塗工装置。
（１７）前記液体塗工部に、吐出機構を用いることを特徴とする（１）乃至（１６）のいずれか一項に記載の液状原料塗工装置。
（１８）前記液体塗工部に、ロール式印刷機構を用いることを特徴とする（１）乃至（１７）のいずれか一項に記載の液状原料塗工装置。
（１９）前記液体塗工部に、スリットコ−ト機構を用いることを特徴とする（１）乃至（１７）のいずれか一項に記載の液状原料塗工装置。
（２０）前記液体塗工部に、噴霧機構を用いることを特徴とする（１）乃至（１７）のいずれか一項に記載の液状原料塗工装置。
（２１）前記液体塗工部に、ブレードを用いることを特徴とする（１）乃至（１７）のいずれか一項に記載の液状原料塗工装置。
（２２）前記液体塗工部に、刷毛を用いることを特徴とする（１）乃至（１７）のいずれか一項に記載の液状原料塗工装置。
（２３）前記塗工領域および乾燥機構を複数連結することにより、多層膜を形成することを特徴とする（１０）乃至（２２）のいずれか一項に記載の液状原料塗工装置。
（２４）前記塗工領域および乾燥機構に焼成機構が連結されていることを特徴とする。（１０）乃至（２３）のいずれか一項に記載の液状原料塗工装置。
（２５）前記塗工部および乾燥機構に、検査装置およびリペア装置が連結されていることを特徴とする（１０）乃至（２４）のいずれか一項に記載の液状原料塗工装置。
（２６）前記塗工領域および乾燥機構に連結されている、前記焼成機構および前記検査装置および前記リペア装置が、基体上の液体原料もしくは乾燥後の部材と不活性な雰囲気であることを特徴とする。（２４）または（２５）に記載の液状原料塗工装置。
（２７）（１）乃至（２６）のいずれか一項に記載の液状原料塗工装置を用いることを特徴とする液状原料塗工方法。
（２８）（１）乃至（２７）のいずれか一項に記載の液状原料塗工装置を用いて機能性膜もしくは電気光学機能を有する積層構造体を形成したことを特徴とする基体。
＜作用＞
（１）の発明によれば、液状原料塗工部と前記台座を覆う気密容器とにより塗工領域を形成し、該気密容器内の雰囲気を調整する雰囲気調整機構を有するので、液状原料により形成される高機能な機能膜や電気光学部品に、雰囲気中の物質が不純物としての混入や、酸化等の機能劣化を防ぐことができるうえ、気密容器が液状原料塗工部本体から隔離できるので、液状原料塗工部本体の交換やメンテナンスが容易である。
（２）の発明によれば、液状原料塗工部中の雰囲気を、気密容器とを隔離した上で塗工領域内の雰囲気と大気とに小さな容積で任意に置換できるので、塗工機のメインテナンスが容易である。
（３）の発明によれば、気密容器内の雰囲気が、雰囲気温度と雰囲気中の酸素含有物質とを調整された不活性気体であるので、雰囲気中の物質が不純物としての混入や、酸化等の機能劣化を防ぐ効果を高めることができる。
（４）の発明によれば、前記雰囲気中の酸素含有物質が300ppm以下であるので、雰囲気中の物質が不純物としての混入や、酸化等の機能劣化を防ぐ効果をさらに高めることができる。
（５）の発明によれば、気密容器内の雰囲気が、基体上の液体原料と活性である反応性ガスにするので、基体の機能を調整することができる。
（６）の発明によれば、前記気密容器内の雰囲気が、循環されて維持されているので、雰囲気の清浄度の維持が容易である。
（７）の発明によれば、前記雰囲気調整機構が温度調整機構を有するので、気密容器内の機構の温度を一定に保つことが出来、塗工精度を高めることができる。
（８）の発明によれば、密容器内の雰囲気が、液状原料に含まれる溶剤もしくは、該液状原料の分解等により発生する副生成物を吸着するトラップを通して、循環されているので、雰囲気中の物質が不純物としての混入や、酸化等の機能劣化を防ぐ効果をさらに高めることができる。
（９）の発明によれば、気密容器が減圧維持可能であるので、立ち上げ時の雰囲気の置換が速やかに行われ、雰囲気のコントロールが容易で操業コストを抑制できる。
（１０）の発明によれば、液状原料塗工部本体内の雰囲気が調整されているので、雰囲気中の物質が不純物としての混入や、酸化等の機能劣化を防ぐ効果をさらに高めることができる。
（１１）の発明によれば、基体上の液状原料を乾燥させる乾燥機構を有するので、該塗工工程から速やかに乾燥工程に移行して、基体上の液状原料の乾燥を制御しやすくすることで、機能性膜の膜厚を均一性を高めることができる。
（１２）の発明によれば、乾燥機構が隔壁により塗工領域と分離できるので、乾燥機構の内のガスが塗工部内に拡散し、調整された気密容器内の雰囲気を乱すことを抑制できる。
（１３）の発明によれば、前記乾燥機構に、基体上の液体原料もしくは乾燥後の部材と不活性である気体を導入するので、雰囲気が基体の機能に影響を与えることを防止できる。
（１４）の発明によれば、乾燥機構に、基体上の液体原料もしくは乾燥後の部材と活性である気体を導入することにより乾燥後の基体の機能を調整することができる。
（１５）の発明によれば、乾燥機構が、真空乾燥機構であるので乾燥効率を高めることができる。
（１６）の発明によれば、乾燥機構が、基体もしくは液体原料を加熱する乾燥機構であるので、基体上の液体原料の乾燥速度や機能性膜の膜厚均一性の制御ができる。
（１７）乃至（２２）の発明によれば、種々の印刷工程に適用することができる。
（２３）の発明によれば、塗工領域および乾燥機構を複数連結するので、雰囲気が調整された状態で、多層膜を形成することができる。
（２４）の発明によれば、前記塗工領域および乾燥機構に焼成機構が連結されているので基体の焼成工程を含めて処理することができる。
（２５）の発明によれば、前記塗工領域および乾燥機構に、検査装置およびリペア装置が連結されているので、所望の幾何学形状が得られていない部位の不具合をチェックして塗工部を補修することができる。
（２６）の発明によれば、前記塗工領域に連結されている前記乾燥機構および前記焼成機構および前記検査装置および前記リペア装置内の雰囲気が、基体上の液体原料もしくは乾燥後の部材と不活性な雰囲気で調整されているため、雰囲気が基体の機能に影響を与えることを防止できる。
（２７）の発明によれば、液状原料により形成される高機能な機能膜や電気光学部品に、雰囲気中の物質が不純物としての混入や、酸化等の機能劣化を防ぐ液状原料塗工方法を提供することができる。
【００１６】
(２８)の発明によれば、液状原料により形成される高機能な機能膜や電気光学部品に、雰囲気中の物質が不純物としての混入や、酸化等の機能劣化しない機能性膜を有する基体を提供することができる。
【発明の効果】
【００１７】
本発明によれば、液状原料塗工部と前記基体を載置する台座を覆う気密容器により密閉された塗工領域を形成し、該気密容器内の雰囲気を調整する雰囲気調整機構を有することにより、全印刷装置の塗工機（ロールによる印刷機、インクジェット、スリットコートすべての印刷）に対して、塗工雰囲気を小さな容積で環境を調整することができ、電気光学部品を構成する、液状原料により形成される機能膜に、雰囲気中の物質が不純物としての混入防止及び、酸化等の機能劣化防止ないしは、液状原料により形成される機能膜を雰囲気との化学反応を積極的に促進することにより高機能化することができ、調整された環境を壊すことなく、塗工部の保守を可能とした、操業コストが経済的に良好である液状原料塗工装置および、液状原料塗工方法および、それを用いた基体を提供することができるなど、産業上有用な著しい効果を奏する。
【発明を実施するための最良の形態】
【００１８】
本発明を実施するための形態について、インクジェット塗工機を用いた場合を図１乃至図４を用いて詳細に説明する。
【００１９】
図1乃至図４において、１は基体、２は台座、３は気密容器、４はインクジェット（ＩＪ）塗工機（液状原料塗工部であり、該機構の懸架機構等は図示されていない）、４´は液体原料塗工部、５は気密容器温調機構（雰囲気調整機構）、６は温調機、７は乾燥機構、８はヒータ、９はフィルタ、１０はブロワ、１１は真空ポンプ、１２は焼成機構、１３はゲートバルブを示し、図1乃至図１１において、同じ要素については同じ記号を用いることにより説明の重複を避ける。
【００２０】
図１ないしは図４は、本発明におけるインクジェット塗工機４を用いた液状原料塗工装置の印刷時の実施形態を例示する図であり、本実施形態では、有機ELのように不活性雰囲気中での塗工であり、不活性気体としてN2ガスを使用している例を示す。
【００２１】
図１（a）は、インクジェット塗工機４により、台座２に載置された基体１に塗工している状態を示す。
【００２２】
図１（ｂ）は、インクジェット塗工機４により塗工が終了した基体１を乾燥している状態を示す。
【００２３】
図２は、インクジェット塗工機４の保守時の状態を示す。
【００２４】
図３は、本塗工機で、塗工、乾燥工程を終了した後に、焼成工程が必要な場合、焼成機構１２と連結した一例を示す。
【００２５】
図４は、本塗工機の運用のフローチャートを示す。
【００２６】
図１（a）は、インクジェット塗工機４により、台座２に載置された基体１に塗工している状態を示しており、まず、該液体原料塗工領域の雰囲気調整手法を、図４も交えて示す。
【００２７】
液体原料塗工領域は、液体原料塗工部４´と気密容器３から構成され、ひとつの密閉容器を形成している。気密容器３は、基体１を出し入れするゲートバルブ１３及びインクジェット塗工機４ないしはインクジェット塗工機４を塗工領域に出し入れするためのゲートバルブ１３により封止され、気密状態が維持されている。雰囲気の調整時は、図２に示すように、インクジェット塗工機４を保守領域に出し、ゲートバルブ１３により気密状態を維持しておく。
【００２８】
本実施例では、気密容器３に排気設備が接続されており、原料に依存する設備の排気ダクトに直接接続並びに真空排気機構を経由した排気系の切り替えが可能とした。気密容器３は、真空排気機構により、気密容器３内の大気が排気される。本実施例では、低真空で排気能力を有するドライポンプのみとし、真空到達度10Pa程度としている。真空排気として油ポンプを用いても良いし、また、該ドライポンプの前段にターボ分子ポンプ等の高真空に到達可能なポンプを追加しても良い。所定の真空に到達した後、真空排気機構を経由した排気系は気密容器３から分離され、気密容器３は大気圧近傍となる圧力まで、具備されたＮ２ガス供給ラインから気密容器３内にＮ２が充填される。ここで、供給されるＮ２ガスは、好適には1ppm以下の乾燥したＮ２ガスで、気密容器３を真空排気した後にＮ2ガス充填する工程を数度実施することが望ましい。これにより、酸素濃度は300ｐｐｍ程度以下のＮ２雰囲気となる。
【００２９】
この後、気密容器３内に充填されているＮ２を、フィルタ９を経由してブロワ１０で循環させることにより、気密容器３中の酸素等を取り除き雰囲気の純度を上げて、ＨＥＰＡフィルタを経由してパーティクルを除去した後に、気密容器３内に返していく。例えば、本実施例では、複数のフィルタ９を循環系に具備しており、コールドトラップ、水フィルタ、酸素フィルタとし、気密容器３内に充填されているＮ２中に含有する水分、酸素を除去する。また、Ｎ２ガス供給ラインから気密容器３にＮ２を供給しながら排気し、同時に、循環させることで、さらに効率的に純度の高いＮ2雰囲気を維持することが可能である。
【００３０】
ここで、液体原料には、金属に対して腐食性を有する物性、例えば、酸性やアルカリ性を有する場合がある。この場合には、ブロワ１０を始め循環系内部の総ての部品が耐食性を有することが望ましい。しかしながら、部品材料によってはコストが高くなり、また、液体原料が循環系内部にあるフィルタ９に付着して、フィルタ９の寿命を短くすることがある。このため、コールドトラップ等により、気密容器３中にある液体原料を凝縮もしくは、凍結することで、後段にあるフィルタ９及びブロワ１０に腐食性を有する液体原料が到達を阻止ないしは、減少させることが望ましい。ここで、コールドトラップは、定期的に保守を行い、捕集率を回復させる必要があるが、複数のコールドトラップを並列に接続し、交互に使用することで装置の連続運転することが可能であると同時に、適宜保守を行うことが可能である。また、他のフィルタ９と連結した2つのフィルタ群を並列に接続して切り替えてもよい。また、コールドトラップは、溶剤用の吸着フィルタ等で置き換えても良い。
【００３１】
また本実施例では、図示していないが、気密容器３を塗工領域とバッファ領域にメッシュやパンチングメタル等により上下に分割し、バッファ領域に循環器の排気を接続し、塗工領域に供給側を接続することでパーティクルが雰囲気の流れにより塗工領域からバッファ領域に到達すると塗工領域には逆流することを防げるため、望ましい。
【００３２】
本実施例の気密容器３は、温度調整された液体循環による気密容器温調機構５（雰囲気調整機構）を有しており、外部の温度変化が、気密容器３の環境に影響することを防止している。
【００３３】
また、気密容器３内部は、零れ落ちるないしは飛散した液体原料が、気密容器３に直接付着しないように、防着板により覆われ、底面には零れ落ちた液体原料を受け止めるパンとしても働く防着板が敷かれていることが望ましい。好適には、該防着板が液体原料に対する耐腐食性を有している。さらに好適には、該防着板と気密容器３の隙間にＮ２をパージして気密容器３内部に漏らすことで、気密容器３に直接液体原料を含むガスが接触しにくくする。
【００３４】
以上により、密閉容器内の雰囲気は、常に一定の状態とすることが可能となる。
【００３５】
次に、塗工時に密閉容器の一部を成すインクジェット塗工機４の導入手順を図４を交えて示す。
【００３６】
図２に示す気密を保持可能である液体原料塗工部４´内に、図示されていない移動機構にインクジェット塗工機４は固定される。ただし、該液体原料塗工部４´は、該液体原料塗工部４´に具備された大気導入ラインから液体原料塗工領域内に大気を導入しながら、該保守領域に具備された排気系から排気して、大気に置換された後に開放される。これにより、インクジェット塗工機４は、交換ないしは保守が可能な状態となる。
【００３７】
インクジェット塗工機４は、図示されていない移動機構に仮設置された後に、吐出機構の機械的な設定を実施し固定する。ここで機械的な設定は、インクジェット塗工機４のノズル平行度調整等である。
【００３８】
インクジェット塗工機４が固定された後、インクジェット塗工機４には、液体原料供給系、制御系等が接続され、液体原料供給系には液体原料が供給、充填される。
【００３９】
ここで、図示していない保守機構により、インクジェット塗工機４のノズル初期特性及び吐出分布確認、吐出量確認等を実施する、終了後、インクジェット塗工機４のノズル清拭を実施し、インクジェット塗工機４を気密容器３内に導入する位置すなわち、ゲートバルブ１３直上に移動させる。
【００４０】
ここで、本実施例のインクジェット塗工機４では、調整された雰囲気下で乾燥状態にあるためノズル周辺に液体原料が乾燥により固着、凝固が発生しやすい。このため、好適には、ノズルにキャップを被せ、ノズルの乾燥を防止してノズルの状態を維持する。
【００４１】
インクジェット塗工機４の配置されている該液体原料塗工部４´は、気密状態とされ液体原料塗工領域内に供給される気体であるＮ２ガスを該液体原料塗工部４´に具備されたＮ２ガス供給系から導入しながら、該液体原料塗工部４´に具備された排気系で排気することで置換され、液体原料塗工領域と同程度の雰囲気とする。  
【００４２】
その後、該液体原料塗工部４´と気密容器３を連通したゲートバルブ１３を開放し、インクジェット塗工機４は、図示していないインクジェット塗工機４の移動機構により、基体１の面方向（図１の矢印で示す下方向）に移動して、気密容器３の塗工位置に固定されると同時に、気密容器３を密閉する。これにより、再度、液体原料塗工領域内の調整された雰囲気中で、インクジェット塗工機４は基体１上に塗工可能となる。
【００４３】
図１（a）に示すように、基体１は、図示されていない例えばロボットなどの移載機構により、基体１を導入するゲートバルブ１３（気密容器３左）近傍に待機する台座２に移載され固定される。ここで、基体１を移載するロボットは、液体原料塗工領域の調整された雰囲気を乱さないように、液体原料塗工領域と同様の雰囲気下にあることが望ましい。台座２は図示されていないリニアスライダ等により水平移動して液状原料塗工部４´（インクジェット塗工機４）の下部近傍の所望の塗工開始位置に到達し待機する。基体１を載置した台座２は、塗工時の所定の速度にて移動を開始すると同時に、液状原料塗工部は移動する台座２と同期して液体原料を適宜吐出し、基体１上に塗工する。ここで、台座２を水平移動させる移動機構は、液状原料塗工部との距離が一定となるような精度を維持可能な機構であれば問わない。インクジェット塗工機４のノズルと基体１間の間隔の精度としては、0.5ｍｍ以下であることが望ましい。また、通常、インクジェットのノズル部分は、塗工特性を制御する手法として液体原料の粘性を液体原料の温度調整が行える。冷媒等の液体により液体原料の温度を制御している場合には、脈動による振動を抑制して吐出精度を向上させるために、運転を停止することが望ましい。
【００４４】
塗工が完了した基体１は、図１（ｂ）に示すように、図示されていないロボット等の移載機構により、乾燥機構７内に移載され、減圧下での加熱乾燥が行われる。本実施例では、乾燥機構７のヒータ８が具備される下部テーブル上に基体１を載置し、下部テーブルが上昇し上部容器に押し付けられることで乾燥用気密容器を形成している。
【００４５】
その後、液体原料の突沸を抑制しつつ、乾燥用気密容器内を所望速度で真空ポンプ１１により排気、減圧し、所定圧力下で乾燥させる。
【００４６】
ここで、本実施例の気密容器３では、雰囲気中の溶剤をコールドトラップにより除去されて調整されるため、基体１上の液体原料は乾燥速度が速い。このため、液体原料を塗布された基体１が、速やかに乾燥工程に移行でき、かつ、同一気密容器３内に、乾燥用気密容器を設けることで、乾燥中に基体１上の液体原料の溶媒が液体原料塗工領域内に拡散して調整された雰囲気を乱さない構成の一例として示している。
【００４７】
また、乾燥中は、液体原料の溶媒が大量に蒸発するため、乾燥機構７は、液体原料塗工領域内に溶媒が拡散して、調整された雰囲気を乱さない機構であればよく、本実施例では減圧乾燥として溶媒を排気する手法を例示している。このため、乾燥用気密容器は、上部容器が下降しても良いし、また、別に接続された気密容器であっても良い。また、本実施例では、減圧乾燥として溶媒を排気するため、減圧下での断熱膨張による温度低下を防止するために、ヒータ８による基体１加熱を行っている。しかし、大気圧近傍でＮ２ガスを導入しつつ排気しながら加熱機構で乾燥させても良く、また、冷凍乾燥であっても、本発明の本質にかかわるものではない。
【００４８】
ここで、加熱機構や冷凍乾燥による乾燥時の基板温調機構を設ける場合、気密容器３の外周に断熱層を設け、液体原料塗工領域の温度を維持するないしは、基体１の出し入れの際にのみ、乾燥用気密容器を開閉する運用方法であれば好適である
また、液体原料には、金属に対して腐食性を有する物性を有する原料がある。この場合には、真空ポンプ１１としてドライポンプと呼ばれる乾式ポンプでは、液体原料の溶媒が真空ポンプ１１中に導入されると、真空ポンプ１１内が腐食されて機械交差が悪化して圧縮機能を失うために、短時間で真空排気能力を劣化させることになるし、また、潤滑油を用いる油ポンプでは、油の中に腐食性を有する溶剤が溶け込んで濃縮されることで、ポンプ内部が腐食されて、短時間で真空排気能力を劣化させる。
【００４９】
液体原料の溶媒として有機溶剤が使用されている場合には、潤滑油を用いる油ポンプでは、油の中に有機溶剤が溶け込んで潤滑油を劣化させることがあるため、機械的な摺動部の磨耗が激しくなり、短時間で真空排気能力を劣化させる。
【００５０】
このため、好適には、乾燥用気密容器と排気ポンプの間に、コールドトラップないしは、活性炭のように溶剤成分を吸着するフィルタを設け、真空ポンプ１１内に進入する溶剤成分を減少させ、真空ポンプ１１を保護する。また、さらに好適には、該フィルタ９を並列に配置して順次使用し、使用していないフィルタ９の保守を適宜行い、排気能力を維持可能すると同時に、連続運転が可能となる。
【００５１】
乾燥が終了した後、液体原料塗工領域と同程度に調整されたＮ2雰囲気を導入し、液体原料塗工領域と同程度の大気圧下とした後、乾燥用気密容器を開放し、基体１を図示しないロボット等の移載機構により、ゲートバルブ１３（気密容器３右）を経由して気密容器３から取り出す。そして、必要に応じ、図３に示す焼成機構１２内に移載し、基体１上の乾燥した液体原料を所定温度で焼成する。
【００５２】
ここで、基体１を移載するロボットは、液体原料塗工領域内に基体１を導入する際と同様に、液体原料塗工領域の調整された雰囲気を乱さないように、液体原料塗工領域と同様の雰囲気下にあることが望ましい。
【００５３】
以上により、基体１の塗工工程は、繰り返し行われる。
ここで、インクジェット塗工機４では、吐出量確認機構、ノズル清拭機構といった保守機構を要する。本図では図示していないが、気密容器３内に設けて適宜、保守作業を行うことが可能である。しかしながら、インクジェット塗工機４では、調整された雰囲気下で乾燥状態にあるためノズル周辺に液体原料が乾燥により固着、凝固が発生しやすく、また、腐食性を有する液体原料を使用する場合には、ノズル腐食により性能が劣化する。このため、気密容器３からインクジェット塗工機４のノズルを取り出し、保守ないしは交換が必要となる。
【００５４】
この際には、図４(b)に示す手順に従い、図１(c)に示す保守状態に、気密容器３内の調整された雰囲気を壊すことなく移行する。
【００５５】
気密容器３内にある基体１を載置する台座２は、待機位置、通常は基体１を移載する位置で固定される。インクジェット塗工機４は、気密を保持可能である液体原料塗工部４´に移動する前に、該液体原料塗工部４´は、気密容器３内に供給される気体であるＮ2ガスを導入しながら排気することで置換され、気密容器３と同程度の雰囲気とする。インクジェット塗工機４は、図示していないインクジェット塗工機４の移動機構により、基体１の面方向（図１の矢印で示す上下方向）に移動させ、気密容器３空間から除去される。液体原料塗工領域は、該液体原料塗工部４´と気密容器３を連通したゲートバルブ１３により、気密容器３と液状原料塗工部本体とに隔離され、気密容器３の雰囲気は、維持、調整される。該保守領域は、大気を導入しながら排気することで大気に置換された後に開放される。これにより、インクジェット塗工機４は、交換ないしは保守が可能となる。
【００５６】
ここで、インクジェット塗工機４の保守、交換後には液体原料を充填し、ノズルからの吐出量確認ならびに、ノズル清拭機構等の図示していない保守機構により、インクジェット塗工機４を準備する。
【００５７】
インクジェット塗工機４は該液体原料塗工部４´に密閉され、該液体原料塗工部４´は液体原料塗工領域内に供給される気体であるN2ガスを導入しながら排気することで再度置換され、気密容器３と同程度の雰囲気とする。この後、該液体原料塗工部４´は、該ゲートバルブ１３を開放することにより気密容器３と連通し、インクジェット塗工機４は、図示していないインクジェット塗工機４の移動機構により、基体１の面方向（図１の矢印で示す下方向）に移動し、塗工位置に固定されると同時に、気密容器３を密閉し、液体原料塗工領域を形成する。これにより、再度、液体原料塗工領域内の調整された雰囲気中で、インクジェット塗工機４は基体１上に塗工可能となる。
【００５８】
以上の実施例で明らかなように、本実施例を用いることで、気密容器３を開放することがないため、気密容器３内の調整された雰囲気を乱すことなく、インクジェット塗工機４を保守可能となる。
【００５９】
通常、前記の気密容器３を一度大気に開放した場合、大気中の水分やガスの吸着を生じるため、気密容器３内を調整された雰囲気とするためには時間を要する。
【００６０】
本実施例では、インクジェット塗工機４の移動方向は、基体１の面方向としたが、台座２の移動方向もしくは、これに垂直方向ないしは、これに所定の角度を持って移動しても良いし、これらの移動方向の組み合わせによる多軸の移動としても良い。
【００６１】
該液体原料塗工部４´と気密容器３を隔離するために用いたゲートバルブ１３は、真空処理容器の隔離に使用されるものと同等であれば良く、Ｏリング等のゴムシールにより密閉、開放できる機構であれば良い。
【００６２】
第一の実施例では、雰囲気として液体原料の化学反応を抑制するために、不活性ガスにより封止する例を示した。しかしながら、液体原料と雰囲気を積極的に化学反応させる反応性ガス導入により、液体原料で成膜される機能性膜の物性を制御することも可能である。次に、液体原料を塗布する塗工工程ないしは乾燥工程において、化学反応性を有する雰囲気により機能性膜の物性を制御する一例を示す。
【００６３】
表示体においては、ＩＴＯが電気特性と光透過特性を有するため、透明導電性膜として共通電極として広く利用される。そして、ＩＴＯは、酸化物の割合を調整することにより、電気特性および光学的な透過特性を制御可能であるため、好適な前記の物性値を両立させる成膜条件が見出される。すなわち、表示体に使用されるＩＴＯは、電気抵抗値が低く光透過率が高いほど、表示装置の共通電極として好適であることになる。一般に、酸化物の割合が高ければ光透過率は高くなり、酸化物の割合が低ければ電気抵抗値は低くなる。
【００６４】
ＩＴＯは、酸化インジウム（Ｉｎ2 Ｏ3 ）に酸化錫（ＳｎＯ2 ）を１〜５重量％ドープしたものである。液体原料として使用される場合、ＩＴＯの超微粒子（粒子径０．１μｍ以下）を有機溶媒に分散させた溶液、また、ジブチルスズジアセテート（ＤＢＴＤＡ）およびインジウムアセチルアセトナート（ＩｎＡＡ）を有機溶媒に溶解した溶液が使用されることがある。有機溶媒には、アセチルアセトン、イソプロピルビフェニルなどが使用される
酸化反応を促すような雰囲気下で前記の液体原料の塗工、乾燥ならびに、焼成工程を実施した場合、液体原料ないしは液体原料により形成されたＩＴＯは、酸化物の割合が高くなるため、光透過率は高くなり、ＩＴＯの光学物性値を調整することが可能となる。
【００６５】
本発明に用いる場合には酸化性を有するものとしてオゾンラジカルを導入すれば、酸化物の割合が増加して光透過率は高くなる。オゾンラジカルは、例えば、無声放電ないしは沿面放電空間に酸素ガスを経由させて発生させて、Ｎ２ガスと混合して気密容器３中に導入しても良いし、気密容器３中に直接導入しても良い。
【００６６】
ここで、無声放電ないしは沿面放電を利用する場合には、酸素ガスをマスフローコントローラーで酸素流量制御ないしは、Ｎ2等のほかのガスと混合比を制御した上で、マスフローコントローラーで酸素流量制御して、単独で無声放電ないしは沿面放電のようなオゾン発生機構を経由して密閉容器中に導入することが可能であり、酸素ガスの流量、他のガスとの混合比とその流量また、放電電力により放電を制御することで密閉容器中に導入されるオゾンラジカル量を制御することが可能となる。
【００６７】
気密容器３中に酸素ガスを直接導入ないしは、酸素ガスをＮ２ガスや十分に乾燥した乾燥空気等に混合して、酸素混合比を制御した上で気密容器３中に導入し、ＵＶ光やイオナイザーを用いて気密容器３内でオゾンラジカルを発生することも可能となる。この場合には、酸素濃度の制御、オゾン化するためのＵＶ光の出力などにより、オゾンラジカルの発生を制御することが可能となる。
【００６８】
また、第一の実施例では、循環機構に酸素除去のためのフィルタ９を具備していたが、本実施例では除外し、酸化反応により発生する副生成物の除去を行うためのフィルタ９を具備することが好適である。さらに、気密容器３内の酸素濃度を観測し、導入する酸素量を制御することは、さらに好適である。
【００６９】
また、還元を必要とする液体原料の場合には、反応性ガスとして還元剤であればよく、一酸化炭素ガスやハロゲン系ガス等を使用可能である。
【００７０】
本発明は図１に示すように液体塗工部に、吐出機構（インクジェット）を用いることができるが、これに限らず、後術のロール式印刷機構、スリットコ−ト機構、噴霧機構や、ブレードまたは刷毛を用いる塗工機構のいずれにも適用できる。
【００７１】
また、塗工部および乾燥機構７を複数連結することにより、多層膜を形成することができ、本発明を用いることにより、液状原料により形成される高機能な機能性膜や電気光学部品に、雰囲気中の物質が不純物としての混入や、酸化等の機能劣化しない機能性膜を形成した基体１を提供することができる。
【００７２】
図３に示すように、前記塗工領域および乾燥機構７に焼成機構１２が連結されていることにより、基体１の焼成工程を含めて連続的に同一雰囲気中で処理することができる。また、焼成後、同様の雰囲気中で検査を行った後、機能性膜が所望形状で得られていない場合、補修を行うリペア工程を連結することも可能である。例えば、機能性膜が、所望形状よりもはみ出し、以後の工程でデバイス機能を阻害する場合には、レーザー等によりはみ出した部分を成型する。また、塗工量が不足やパーティクルが原因で欠けが生じた場合、例えば、本実施例で示したインクジェット塗工機４で、局所塗工により所望形状を得ることが出来る。
【００７３】
図４は、本発明におけるインクジェット塗工機４を用いた液状原料塗工装置の印刷時および保守時の処理フローを例示する図である。
まず、印刷時には、気密容器３を封止、真空引き、N2ガス充填、N2ガス循環した後、基体１を導入して基板待機位置に設置する。
【００７４】
次に、液状原料塗工部において、インクジェット塗工機４取付、液体原料供給系充填、吐出能力確認（ノズル初期特性確認、吐出重量確認）の後、塗工領域雰囲気置換してインクジェット塗工機４を進入位置に設置し、ゲートを開いて、インクジェット塗工機４による封止、インクジェット塗工機４固定後に、再度吐出能力確認、吐出重量確認、ノズル清掃等を行う。
【００７５】
そして、塗工完了後は、基体１を乾燥位置に移動して乾燥させる。
【００７６】
次に、保守時には、気密容器３において、基体１を基体１待機位置に設置し、ガス循環させる一方、液状原料塗工部において、塗工領域をN2ガスに雰囲気置換の後、インクジェット塗工機４を封止待機進入位置に設置し、ゲートを閉めて、保守領域を雰囲気置換の後、開放して保守作業を行う。
【００７７】
図５は、本発明におけるロール方式を用いたフレキソ印刷による液状原料塗工装置の第二の実施形態を例示する図である。気密容器３の構成は、基本的に第一の実施例と同様であるため、詳細は図示していない。ロール方式を用いた液状原料塗工装置は、ドクターロール１４、アニロックスロール１５、版ロール１６から構成された例を示しており、液体原料供給系は図示していない。
【００７８】
液体原料は、液体供給系からドクターロール１４に供給され、ドクターロール１４、アニロックスロール１５、版ロール１６を連動して回転することにより、アニロックスロール１５表面に形成されたセル中に液体原料が充填され、該セル中の液体原料が版ロール１６表面に形成された印刷版の表面に転移され、基体１表面に印刷版が押し付けられることで、印刷版上の液体原料を転写することができる。
【００７９】
図５(a)は、ロール方式を用いた液状原料塗工装置を使用して、塗工を実施している図である。基体１は、第一の実施例と同様に、気密容器３に基体１を導入するためのゲートバルブ１３を開放し、基体１をロボットにより台座２に載置、固定し、塗工待機位置に移動する。そして、版ロール１６上の印刷版の形状と基体１上の機能性膜形成位置が一致するタイミングで、版ロール１６の回転と台座２移動機構が同期して、版ロール１６の周速度に合わせて台座２を移動させ、印刷版を押し付けながら塗工する。塗工終了後、第一の実施例と同様に、速やかに、乾燥工程で乾燥され、次工程に送り出される。
【００８０】
図５（b）は、第二の実施例における保守時の状態を示す。気密性を有する液体原料塗工部４´が、第一に実施例と同様に、気密容器３に連通して設けられている。本実施例の液状原料塗工装置を気密容器３から隔離する場合、気密性を有する液体原料塗工部４´内の雰囲気を、第一の実施例と同様に、気密容器３内の雰囲気と同程度になるまで置換する。本実施例では、大気からＮ２ガスに置換することになる。置換が終了した後、ドクターロール１４、アニロックスロール１５、版ロール１６が組み込まれた液状原料塗工装置を図示しない駆動機構で持ち上げ、気密容器３から切離す。本実施例では、気密容器３と保守容器を連通させるゲートを、気密容器３を再封止するためのフランジ１７がゲート直上にまで移動して、押し付けることで封止する形態としている。これにより、気密容器３は封止され、液状原料塗工部を気密容器３から隔離される。
【００８１】
この後、第一の実施例と同様に、液体原料塗工部４´内の雰囲気を液体原料塗工部４´に具備された大気供給系により大気を供給しながら排気することで大気に置換した後、液体原料塗工部４´を開放して液状原料塗工装置の保守を実施する。
【００８２】
保守が完了した後、液体原料塗工部４´は第一の実施例と同様に、液体原料塗工部４´内の雰囲気を大気からＮ２に置換した後、フランジ１７を開放し、液体原料塗工部４´と気密容器３が連通した状態で、液状原料塗工装置を気密容器３に押し付けることで、液状原料塗工領域を形成し、塗工を実施する。
【００８３】
本発明は、ロール方式を用いた液状原料塗工装置に対しても適用可能であることは明らかである。
【００８４】
第二の実施例として、ロール方式を用いた液状原料塗工装置を示したが、ロールは金属シリンダで重量が大きく、また、ロール間または基体１との位置精度を高精度で維持するため機械強度が必要である。このため、小型基体に適用する液状原料塗工装置では、重量が抑えられるため、第二の実施例が適用可能である。しかしながら。近年の表示装置の大型化対応する1辺が１ｍを超える大型基体に適用する場合には、１本のロール用シリンダの重量は1ｔ以上に達する。このため、高精度を維持し、かつ、重量が大きな液状原料塗工装置を移動することは困難となる上、保守時には重心が高くなるために安全上の問題も発生する。
【００８５】
このため、図６に、第三の実施例として、ロールを用いた液状原料塗工装置を移動することなく液状原料塗工装置を隔離可能とした、別の実施形態を例示する。
【００８６】
気密容器３並びに液状原料塗工装置の基本構成は、第二の実施例と同一である。ただし、液状原料塗工装置は、気密容器３上面を基準として固定され、第二の実施例で用いた気密性を有する液体原料塗工部４´がその一部を成している。また、液状原料塗工部と気密容器３を連通するゲートを封止するためのフランジ１７は、気密容器３内に設置され、図示されていない駆動機構により基体１の面方向に上下可能としている。
【００８７】
塗工時は、第二の実施例と同様であるため、省略する。
【００８８】
ここで、保守時にはフランジ１７が、図示されていない駆動機構により基体１の面方向に上昇して気密容器３と密着することで、気密容器３と液状原料塗工部を分離する。これにより、液状原料塗工部は気密容器３から隔離され、気密容器３は封止された状態で、雰囲気が引き続き、調整維持される。
【００８９】
液状原料塗工装置は液体原料塗工部４´に具備された大気供給系により大気を供給しながら排気することで液体原料塗工部４´内の雰囲気を大気に置換した後、液体原料塗工部４´を開放して液状原料塗工装置の保守を実施する。
【００９０】
保守が完了した後、保守容器は第一の実施例と同様に、液体原料塗工部４´に具備されたＮ２供給系によりＮ２を供給しながら排気することで、液体原料塗工部４´内の雰囲気を大気からＮ２に置換する。その後、フランジ１７を下降させ、液体原料塗工部４´と気密容器３が連通した状態とし、液状原料塗工部により気密容器３を封止し、塗工を実施する。
【００９１】
ここで、気密機構と液状原料塗工装置を分離するフランジ１７は、上昇することで気密容器３を封止しているが、封止可能な機構であればよい。
【００９２】
本発明は、大型化された基体１に対するロール方式用いた液状原料塗工装置に対しても、精度を維持した状態で、液状原料塗工装置を分離し、密閉容器内の雰囲気を乱すことなく、液状原料塗工装置を保守可能である。
【００９３】
図７は、本発明におけるスリットコート法を用いた液状原料塗工装置の第四の実施形態を例示する図である。
【００９４】
図７（a）は、液状原料塗工装置による塗工状態を示す。スリットダイ１８には、液体原料を供給するための液体原料供給系が接続されているが、図示していない。また、スリットダイ１８を上下させるための駆動系も図示していない。
【００９５】
スリットコート法は、毛細管現象を利用してスリットダイ１８の先端スリットから液体原料をだし、該液体原料を押し付けることで、基体１上に液体原料を転写して塗工する。
【００９６】
図７（ｂ）に示すように、スリットダイ１８を上部に引き上げて開口部をシールすることにより気密容器３を隔離することができる。
【００９７】
ここで、図７（ａ）と図７（ｂ）間の移行の機構並びに手順は、第一の実施例において、液体原料塗工装置が異なるだけであるため、ここでは省略する。
【００９８】
また、スリットコート法では、通常、液体原料をスリット幅で、スリットダイ１８が走査された領域を全面に渡り塗工する。しかしながら、基体１の塗工領域に、例えば、撥液レジストによる凹凸によるパターンを形成や、液体原料に対して撥液性及び親液性処理等を行うことでパターンを形成し、液体原料を局所化させて機能性膜によるパターンを形成することが可能であることは知られているが、これらの場合にも、本発明は有効であることは言うまでも無い。
【００９９】
図８は、本発明におけるディスペンサ１９を用いた液状原料塗工装置の第五の実施形態を例示する図である。
【０１００】
図８（a）は、液状原料塗工装置による塗工状態を示す。ディスペンサ１９には、液体原料を供給するための液体原料供給系が接続されているが、図示していない。また、ディスペンサ１９を上下させるための駆動系も図示していない。
【０１０１】
ディスペンサ法は、シリンジ中に充填した液体原料をシリンジの先端から液体原料をだし、該液体原料を押し付けることで、基体１上に液体原料を局所的に塗工することが可能である。
【０１０２】
ここで、これまで記述した実施例では、基体１を載置した台座２は、塗工と乾燥工程に向かう方向を一致させて、一軸方向のみの移動としていた。しかし、ディスペンサ法では、基体１を載置した台座２の乾燥機構７への移動方向に対して垂直方向にも移動可能とすることで、該液状原料塗工装置により機能性膜によるパターンを形成することが可能となる。
【０１０３】
また、本実施例ではディスペンサ１９を固定しているが、ディスペンサ１９を移動可能な機構とし、ディスペンサ１９を移動することで図８（ｂ）に示すように、ディスペンサ１９を上部に引き上げて開口部をシールすることにより気密容器３を隔離することができる。
【０１０４】
ここで、図８（ａ）と図８（ｂ）間の移行の機構並びに手順は、第一の実施例において、液体原料塗工装置が異なるだけであるため、ここでは省略する。
【０１０５】
図９は、本発明におけるブレード２０を用いた液状原料塗工装置の第六の実施形態を例示する図である。液状原料塗工装置はスリット状の液体原料を塗布するノズルと塗布された液体原料を薄く伸ばす機能を有する線状のブレード２０より構成される。液状原料塗工装置には、液体原料を供給するための液体原料供給系が接続されているが、図示していない。また、液状原料塗工装置を上下させるための駆動系も図示していない。
【０１０６】
図９（a）に、本発明におけるブレード２０を用いた液状原料塗工装置の塗工時を示す。塗工は、ノズルにより液体原料を基体１上に線状で塗布した後、移動する台座２上の基体１にブレード２０によりインクを薄く伸ばして塗工する。
【０１０７】
図９（a）に、本発明におけるブレード２０を用いた液状原料塗工装置の塗工時を示す。
【０１０８】
ここで、図９（ａ）と図９（ｂ）間の移行の機構並びに手順は、第一の実施例において、液体原料塗工装置が異なるだけであるため、ここでは省略する。
【０１０９】
本発明は、ブレード２０を用いた液状原料塗工装置に対しても、液状原料塗工部を隔離し、密閉容器内の雰囲気を乱すことなく、液状原料塗工装置を分離可能である。
【０１１０】
また、第四の実施形態に示したスリットコート法と同様に、基体１の塗工領域に、例えば、レジストによる凹凸によるパターンを形成や、液体原料に対して撥液性及び親液性処理等を行うことでパターンを形成し、液体原料を局所化させて機能性膜によるパターンを形成することが可能であることは言うまでも無い。
【０１１１】
図１０は、本発明におけるハードマスク２１付基体に用いる液状原料塗工装置の第七の実施形態を例示する図である。液体原料を基体１上に供給する方法として、本実施例では、第四の実施形態で説明したスリットコート法を用いているが、本発明で示した液状原料塗工装置に適用可能である。
【０１１２】
本実施例で用いるハードマスク２１は、温度変化に対して精度を維持するため、調整されている密閉容器中の雰囲気温度付近で線膨張係数が低いインバー合金製、例えば、室温近傍であれば42アロイなどがある。好適には、ハードマスク２１の厚みが0.5mm以下であり、フレームに固定されて、パターン精度が劣化しないことが望ましい。また、好適には、該ハードマスク２１上に形成されているパターンの基体１接触側に座繰りが形成され、ハードマスク２１と基体１間に液体原料が毛細管現象により浸透することを抑制防止できることが望ましい、また、好適には、液体原料に対して撥液性を有する表面処理、例えば、フッ素樹脂コーティングを施し、塗工時に液体原料が残留しにくいことが望ましい。
該ハードマスク２１は、台座２に基体１が移載される位置で、台座２の上部に配置される。基体１がロボットにより台座２に移載され、固定された状態で基体１上に載置され、接触ないしは疑接触状態で固定される。この際、好適には、基体１上にあるアライメントマークとハードマスク２１上のアライメントマークにより光学的アライメント、もしくは、基体１ないしはハードマスク２１をピン等に押し付けるないしは、位置決めピン等を使用することで機械的アライメントにより、基体１との位置精度を高くすることが望ましい。
【０１１３】
該ハードマスク２１を載置した台座２は、第四の実施例で示した同様の手順により、液状原料塗工装置によりハードマスク２１のパターンが、液体原料で基体１上に塗工される。塗工終了後、ハードマスク２１は、基体１上から除去され、基体１の移載位置に移動し、基体１は乾燥工程に移動する。
ハードマスク２１は、パーティクルの発生を抑制するために、定期的に洗浄することが望ましく、例えば、基体１を導入するロボットにより気密容器３外に排出され、洗浄される。さらに好適には、ハードマスク２１は、マスクストッカに複数個用意され、適宜、交換されることが望ましい。
ここで、図１０（a）〜（ｄ）は本実施例での塗工時、（e）は保守時を示している。塗工時から保守時、保守時から塗工時への移行は、第四の実施例と同様であるため割愛する。
【０１１４】
本発明は、ハードマスク２１を用いた液状原料塗工装置に対しても、液状原料塗工部を隔離し、密閉容器内の雰囲気を乱すことなく、液状原料塗工装置を分離可能である。
【０１１５】
図１１は、本発明におけるスプレー２２を用いた液状原料塗工装置を使用した場合の、第八の実施形態を例示する図である。
【０１１６】
図１１（a）に示すように、スプレー２２によりミスト状にした液体原料の塗工時を示す。スプレー２２により液体原料を塗布する場合には、第四の実施例で示したように基体１上にパターン形成のための表面処理を施したり、第七の実施例に示したようなハードマスク２１を用いて、塗工領域を形成することが望ましい
保守時には、図１１（ｂ）に示すように、スプレー２２を上部に引き上げて開口部をシールすることにより気密容器３を隔離することができる。
ここで、図１１（a）、（ｂ）は、本実施例での塗工時、保守時を示している。塗工時から保守時、保守時から塗工時への移行は、第４の実施例と同様であるため割愛する。
【０１１７】
本発明は、ハードマスク２１を用いた液状原料塗工装置に対しても、液状原料塗工部を隔離し、密閉容器内の雰囲気を乱すことなく、液状原料塗工装置を分離可能である。
【０１１８】
また、インクジェット塗工装置のノズル、ロール式の液状原料塗工装置の各ロールは、溶剤の蒸発による乾燥によって液体原料の固着、凝固を発生する。特に、本実施例のように雰囲気の調整により、乾燥した雰囲気下では、乾燥が促進される。このため、例えば、インクジェットでは、ノズルを密閉して、密閉容器中の雰囲気に液体原料の主溶剤である溶媒を含有する雰囲気で満たして液体原料の固着、凝固を抑制、防止することが可能となる。
【０１１９】
また、ロール式の液状原料塗工装置では、版ロール１６の密閉容器中の雰囲気と接触する面積を小さく、かつ、版ロール１６と密閉容器間の隙間を小さくするなどしてコンダクタンスを悪くして、液状原料塗工装置と密閉容器間のガス交換が起こりにくくした後、液状原料塗工装置内を、密閉容器中の雰囲気に液体原料の主溶剤である溶媒を含有する雰囲気で満たすことで、ロールの乾燥を抑制、防止することが可能となる。
【０１２０】
密閉容器中の雰囲気に液体原料の主溶剤である溶媒を含有する雰囲気は、簡便な手法の一例として、密閉容器中の供給している雰囲気を、液体原料の主溶剤のタンク内でバブリングすることにより生成できる。該雰囲気をノズル周りの密閉容器内や液状原料塗工装置の液状原料塗工部内に供給することで可能となる。
【図面の簡単な説明】
【０１２１】
【図１】本発明におけるインクジェット塗工機を用いた液状原料塗工装置の印刷時の実施形態を例示する図である。
【図２】本発明におけるインクジェット塗工機を用いた液状原料塗工装置の保守時の実施形態を例示する図である。
【図３】本発明における焼成機構を有する液状原料塗工装置の保守時の実施形態を例示する図である。
【図４】本発明におけるインクジェット塗工機を用いた液状原料塗工装置の印刷時および保守時の処理フローを例示する図である。
【図５】本発明におけるロール用いた液状原料塗工装置の実施形態を例示する図である。
【図６】本発明におけるロール用いた液状原料塗工装置の実施形態を例示する図である。
【図７】本発明におけるスリットコートを用いた液状原料塗工装置の印刷時の実施形態を例示する図である。
【図８】本発明におけるディスペンサを用いた液状原料塗工装置の印刷時の実施形態を例示する図である。
【図９】本発明におけるブレードを用いた液状原料塗工装置の実施形態を例示する図である。
【図１０】本発明におけるハードマスク付基体に用いる液状原料塗工装置の実施形態を例示する図である。
【図１１】本発明におけるスプレーを用いた液状原料塗工装置の実施形態を例示する図である。
【符号の説明】
【０１２２】
１  基体
２  台座
３  気密容器
４  インクジェット塗工機
４´液体原料塗工部、
５  気密容器温調機構（雰囲気調整機構）
６  温調機
７  乾燥機構
８  ヒータ
９  フィルタ
１０  ブロワ
１１  真空ポンプ
１２  焼成機構
１３  ゲートバルブ
１４  ドクターロール
１５  アニックスロール
１６  版ロール
１７  フランジ
１８  スリットダイ
１９  ディスペンサ
２０  ブレード
２１  ハードマスク
２２  スプレー
【図１】
2009112889.tif 000003
【図２】
2009112889.tif 000004
【図３】
2009112889.tif 000005
【図４】
2009112889.tif 000006
【図５】
2009112889.tif 000007
【図６】
2009112889.tif 000008
【図７】
2009112889.tif 000009
【図８】
2009112889.tif 000010
【図９】
2009112889.tif 000011
【図１０】
2009112889.tif 000012
【図１１】
2009112889.tif 000013